(57)【特許請求の範囲】
【請求項１】
患者の上半身を載置する上背部用マット（1）と、患者の下半身を載置し前記上背部用マット（1）に対して接離するようにスライド可能に構成されたスライドマット（2）をベッドフレーム（3）に載置し、前記上背部用マット（1）と前記スライドマット（2）の接合部が凸凹に嵌合するように構成された牽引治療用ベッドにおいて、
前記上背部用マット（1）は患者の腰部を除く上半身と上腕を載置するように凹状にし、
前記スライドマット（2）は患者の腰部全体と下半身を載置するように凸状にし、
少なくとも前記スライドマット（2）の凸状部に加温部（D）を設けたことを特徴とする、
牽引治療用ベッド。
【発明の詳細な説明】
【０００１】
【産業上の利用分野】
本発明は、腰部疾患の保存療法に用いられる牽引用ベッドの改良に関するものである。
【０００２】
【従来の技術】
従来の牽引用ベッドは、図２（Ａ）のように、ベッドフレーム２１と、このベッドフレーム２１に載置され、患者の上半身が載る上背部用マット２２と、臀部や脚部が載るスライドマット２３等から構成される。上背部用マット２２とスライドマット２３が接する接合部Bは直線状になっている。この上背部用マット２２はベッドフレーム２１にほぼ固定され、スライドマット２３はベッドフレーム２１に沿ってベッドの長手方向にほぼ自由にスライドする。治療をおこなっていないとき、患者がベッドに乗り降りするときの安全性を確保するために、通常は、スライドマット２３は上背部用マット２２に接するように移動している。
【０００３】
牽引治療用ベッドに患者が乗ると、図２（Ｂ）のように、患者の上半身が上背部用マット２２に、下半身がスライドマット２３にそれぞれ載り、上背部用マット２２とスライドマット２３の接合部に患者の腰がくるように設計されている。
実際の腰椎牽引治療の様子を図２（Ｃ）に示す。牽引用ベッドは、この図に示すように、牽引装置２６と組み合わせて使用する。治療前に、患者に牽引用腰装具２４を付けさせ、これに牽引用ワイヤ２５を接続し、一方で、患者の脇を脇用装具２７で支持する。脇用装具は、図にはアーム状のものを示しているが、ロープ状のものも使用され、一端をベッドに固定して患者の脇を支持し、腰部を牽引しても患者の体が移動しないように固定する。
【０００４】
この状態で治療をスタートすると、牽引装置２６が牽引用ワイヤ２５を巻き取り、牽引用腰装具２４を介して患者を牽引する。このとき患者の脇は脇用装具で支えられているので上半身はほぼ固定され、下半身はスライドマット２３ごとスライドする。このようにして腰部を集中的に牽引することで、椎間盤間を開大することができ、腰部疾患を治療することができる。
【０００５】
牽引中、上背部用マット２２は殆ど移動せず、スライドマット２３は移動するので、上背部用マット２２とスライドマット２３の間に間隙ができる。通常使用される間欠牽引では、スライドマット２３が上背部用マット２２と接したり離れたりするので、この間隙に肘落ち込むと、肘を挟まれて怪我をする危険がある。しかし通常の人では、肘は腰より高い位置にあるので、図２（Ｂ）のような構造の従来の装置では、患者の腕は上背部用マット２２に載っているので、肘を挟む危険はない。
一方、牽引治療中に、血流改善を目的に、患部を加温することがある。図の領域Ａは腰部つまり加温したい部分を示す。腰部を加温するには各種の方法があるが、簡便な方法として、マットの腰の位置にヒータを組み込んだものがある。
【０００６】
【発明が解決しようとする課題】
牽引治療用ベッドでは、スライドマット２３と上背部用マット２２の接合部に腰部が載るように設計されており、集中的に腰椎牽引ができるようにしている。しかしこのような従来の牽引治療用ベッドに加温部を組み込もうとすると、図２（Ｂ）に示すように、スライドマット２３に加温部ｄを設置するか、上背部用マット２２の加温部eを設置するか、又はその両方に設置する方法しかない。図の領域Ａは腰部の加温したい部分を示す。
【０００７】
スライドマット２３に加温部ｄを組み込んだ場合、図２（Ｂ）から判るように、接合部Bは腰部の中央付近に来るようにしているため、牽引しない場合は、加温したい腰の領域Ａの半分程度を加温できるが、牽引すると、スライドマット２３が移動するので、領域Ａの一部しか加温できなくなる。上背部用マット２２に加温部eを入れると、やはり腰の加温したい領域Ａの一部だけしか加温できない。上背部用マット２２に加温部eを、スライドマット２３に加温部ｄを両方とも入れると、牽引していないときは必要な領域をほぼ加温できるが、牽引をおこなうと、上背部用マット２２とスライドマット２３の間に間隙ができ、この部分は加温できなくなる。また、上背部用マット２２とスライドマット２３の両方に電力等を供給しなければならず、これは故障の原因になるし、コストアップにもつながる。このように、牽引治療中に腰部を加温したいという要望は強いが、従来の牽引治療用ベッドの形状では、必要な部分を十分に加温することはできなかった。
【０００８】
これを解決するために、図２（Ｄ）のように、上背部用マット２２を短くし、スライドマット２３を長くして、スライドマット２３に腰部全体を加温できるように加温部をいれ、加温できる領域を広くする方法が考えられている。体重の大部分は頭部、肩胛骨近傍、臀部及び下肢にかかるため、上背部用マット２２に肩胛骨近傍が載るようにしておけば、牽引の効果は殆ど変わらず、従来の図２（Ｂ）のベッドと同様、十分に効果的な牽引治療ができる。しかし、図２（Ｄ）のように、上背部用マット２２を短くすると、患者の肘が上背部用マット２２の下端からはみ出し、牽引時にスライドマット２３と上背部用マット２２との間に肘が挟まれて怪我をする恐れがある。
【０００９】
【課題を解決するための手段】
このような課題を解決するために、本発明では、
患者の上半身を載置する上背部用マット（1）と、患者の下半身を載置し前記上背部用マット（1）に対して接離するようにスライド可能に構成されたスライドマット（2）をベッドフレーム（3）に載置し、前記上背部用マット（1）と前記スライドマット（2）の接合部が凸凹に嵌合するように構成された牽引治療用ベッドにおいて、
前記上背部用マット（1）は患者の腰部を除く上半身と上腕を載置するように凹状にし、
前記スライドマット（2）は患者の腰部と下半身を載置するように凸状にし、
少なくとも前記スライドマット（2）の凸状部に加温部（D）を設けた。
【００１０】
【作用】
本発明により、スライドマット（2）に凸状部を設けているため、スライドマット（2）に腰部と下半身が載り、上背部用マット（1）に腰部を除く上半身が載る。前述のように、体重の大部分は頭部、肩胛骨近傍、臀部及び下肢にかかるため、腰椎牽引をおこなうことができる。また、上背部用マット（1）の凹部の左右両側は接合部Bまで伸びているため、ここに上腕部を載せても、上背部用マット（1）とスライドマット（2）の接する部分に肘が落ち込むことは無く、安全である。
さらに、腰部が当接する部分に加温部（D）を設けたため、腰部を十分に加温できる。
本発明により、十分な牽引治療ができ、上背部用マットとスライドマットの間に肘を挟まれることはなく安全で、また、腰部の必要な領域を十分に加温することができる。
【００１１】
【実施例】
図１は本発明の実施例で、（Ａ）は平面図で、（Ｂ）は側面図である。この実施例では、上背部用マット１とスライドマット２が接する部分（接合部B）で、上背部用マット１を頭側に凹状に成形し、これに接するようにスライドマット２を凸状に成形し、スライドマット2の凸部に加温部を設けた。寸法的には、図の線Ｂが従来の牽引用ベッドの上背部用マットとスライドマットが接合する位置（接合部）であり、ここに患者の腰部くるようにしている。Ｃは凸部の先端部の位置を表す。凸部の幅は腰部を載置できればよい。
患者がベッドに載ると、図１（Ｂ）のように、上半身と腕は上背部用マット１に、腰部と臀部と下肢はスライドマット２に載る。患者の体重は頭部、肩胛骨付近の上背部、臀部及び下肢に集中する。スライドマット２の凸部に上背部の一部は載るが、殆どの体重は頭部、肩胛骨部、臀部、及び下肢で支えるため、スライドマット２の凸部にかかる荷重は少ない。このため従来とほぼ同様に腰部を集中的に牽引することができ、十分な牽引治療効果を得ることができる。
【００１２】
腕は上背部用マット1に載っているので、牽引治療中にスライドマット２が往復運動しても腕を挟まれて怪我をするという危険はない。Ｄは加温部で、ここでは面状の電気ヒータを使用している。マットに設置しても違和感が無く、十分な加温ができ、その電源は牽引装置本体から簡単にとれるためである。加温部のサイズは、身長方向には凸部の先端から臀部近傍までにし、幅は腰幅程度にして、腰部全体を加温できるようにしている。加温部は臀部や下肢が載る部分まで長くしてもよいし、横幅をマットのサイズまで広くしてもよいが、最低限、腰部を加温できればよい。従来の牽引治療用ベッドでは必要な領域を加温できなかったが、本発明によると、従来よりも広く、必要な領域（腰部全面）を十分に加温できる。
【００１３】
加温部は、腰部を十分に加温できる面積を有すればよく、その形状は問わない。図には方形の例を示したが、円形や楕円形などどのような形状にしてもよい。
本発明では嵌合の深さや形状は問わないが、図２に示した加温したい領域Ａを十分にカバーしたいので、牽引してスライドマット２が移動しても加温領域Ａを十分カバーできる程度に、スライドマット２の凸部を突出させればよい。ただし凸部が出過ぎると、スライドマット２に上背部が載って、牽引時に上背部から臀部、下肢までがスライドマットと共に移動し、腰の牽引ができなくなるので、スライドマット２に上背部が載らない程度にしている。また、上背部用マット１の患者の腕が載る部分（凹部の両側）は通常の人の腕が載るスペースがあればよい。加温部は、この実施例のように、面状の電気ヒータが簡便で使用しやすいが、どのような方法を用いてもよい。要するに、マットに凸部を設けて加温部を入れ、必要な領域を十分に加温できるようにすればよい。
【００１４】
患者がベッドに載ると、図１（Ｂ）のように、上半身と上腕は上背部用マット１に、腰部と臀部と下肢はスライドマット２に載る。スライドマット２の凸部に背部の一部が載っても、肩胛骨等の高くなった部分が上半身の荷重の大部分を支えるので、従来と同等の牽引治療効果を上げることができる。また、上背部用マット１は、肘を載せる部分が図１（Ａ）の接合部Ｂまであるので、肘は上背部用マット１に載り、マットに挟まれることはない。さらに、凸部に加温部を設けており、加温したい腰の領域Ａを十分に加温することができる。このようにして牽引治療をおこなうと、腰部全体を効果的に加温しながら、効果的で安全な牽引治療が可能である。
【００１５】
【発明の効果】
本発明により、十分な牽引治療効果が得られ、腰の必要な部分を十分に加温できる。また、牽引中に上背部用マット１とスライドマット２の間に間隙が生じても、肘が挟まることはなく、安全な牽引治療が可能になる。
【図面の簡単な説明】
【図１】本発明の実施例であり、（Ａ）は平面図、（Ｂ）は側面図である。
【図２】従来の牽引用ベッドの例であり、（Ａ）はベッドの外観図、（Ｂ）は患者が載ったときの側面図、（Ｃ）は実際に牽引治療をおこなっている様子を示す図、（Ｄ）は従来の牽引治療用ベッドの別の例で上背部用マットを短くしたベッドの例である。
【符号の説明】
１・・・上背部用マット         ２・・・スライドマット
３・・・ベッドフレーム
Ａ・・・加温したい腰部の領域
Ｂ・・・従来ベッドの上背部用マットとスライドマットの接合部の位置
Ｃ・・・マットの凸部と凹部の嵌合先端位置
Ｄ・・・加温部
２１・・ベッドフレーム       ２２・・・上背部用マット
２３・・スライドマット       ２４・・腰用装具
２５・・牽引用ワイヤ         ２６・・牽引装置
２７・・脇用装具
ｄ、ｅ・・加温部
【図１】
0004620818.tif 000002
【図２】
0004620818.tif 000003